(57)【特許請求の範囲】
【請求項１】
転がり軸受（１３，１４，１６）のための又は滑り軸受（１９）のための軸受部品（１ａ，１ｂ，１，７，９）であって、内輪（１ａ，１）、外輪（１ｂ，７）、転動体（９）、保持器、又は案内輪である前記軸受部品（１ａ，１ｂ，１，７，９）において、
前記軸受部品（１ａ，１ｂ，１，７，９）が、第１の構成部品（２）と、前記第１の構成部品（２）に結合されている第２の構成部品（３）とを備え、
前記第２の構成部品（３）と前記第１の構成部品（２）とが、半凝固金属プロセスによって結合されており、
前記半凝固金属プロセスが、チクソモールディングプロセス、チクソキャスティングプロセス、チクソ鍛造プロセス、チクソ結合プロセス、レオモールディングプロセス、レオキャスティングプロセス、レオ鍛造プロセス、又はレオ結合プロセスであることを特徴とする軸受部品（１ａ，１ｂ，１，７，９）。
【請求項２】
前記第１の構成部品（２）が、軽量材料、軽金属材料、アルミニウム、チタン、鋳鉄、低炭素鋼、電気絶縁材料、断熱材料、衝撃吸収材料、弾性材料、又は緩衝材料のうち少なくとも１つの材料からなることを特徴とする請求項１に記載の軸受部品（１ａ，１ｂ，１，７，９）。
【請求項３】
前記第２の構成部品（３）が、鋼、軸受鋼、ステンレス鋼、硬質金属、超硬合金、金属炭化物、セラミック材料、真鍮、青銅、電気絶縁材料、又は断熱材料のうち少なくとも１つの材料からなることを特徴とする請求項１に記載の軸受部品（１ａ、１ｂ、１、７、９）。
【請求項４】
前記軸受部品（１ａ，１ｂ，１，７，９）が、輪体（１ａ，１ｂ，１，７）であり、
前記第２の構成部品（３）が、接触面（４ａ，４ｂ，４ｃ，４）を有していることを特徴とする請求項１に記載の軸受部品（１ａ，１ｂ，１，７，９）。
【請求項５】
前記輪体（１ａ，１ｂ，１，７）が、前記内輪（１ａ，１）又は前記外輪（１ｂ，７）であることを特徴とする請求項４に記載の軸受部品（１ａ，１ｂ，１，７，９）。
【請求項６】
前記内輪（１ａ，１）と前記外輪（１ｂ，７）と複数の転動体（１２，１５）を少なくとも備え、
請求項１〜５のいずれか一項に記載の前記軸受部品（１ａ，１ｂ，１，７，９）をさらに備えていることを特徴とする転がり軸受（１３，１４，１６）。
【請求項７】
前記転がり軸受（１３，１４，１６）が、玉軸受（１３）、円筒ころ軸受（１４）、球面ころ軸受、トロイダルころ軸受、テーパころ軸受、円錐ころ軸受、針状ころ軸受、スラスト軸受、車輪用軸受（１６）、ピニオン軸受、又はフランジ付き軸受であることを特徴とする請求項６に記載の転がり軸受（１３，１４，１６）。
【請求項８】
請求項１〜５のいずれか一項に記載の前記軸受部品（１ａ，１ｂ）を備えていることを特徴とする滑り軸受（１９）。
【発明の詳細な説明】
【技術分野】
【０００１】
第１の態様によれば、本発明は、転がり軸受用の又は滑り軸受用の軸受部品に関する。
【０００２】
第２の態様によれば、本発明は、転がり軸受に関する。
【０００３】
第３の態様によれば、本発明は、滑り軸受に関する。
【背景技術】
【０００４】
より高い軸受性能、より低い製造コスト、及びより低い材料コストに対する要求は、常に高まりつつある。良好な性能特性、例えば耐久性、強度、耐荷能力、耐摩耗性、軽量性を示す軸受材料は、かなり高価である、又はニアネットシェイプ成形において効率的に使用するのが困難である場合がしばしばある。その一方で、より安価な軸受材料は、軸受の高い性能要求を満たさない場合がある。
【先行技術文献】
【特許文献】
【０００５】
【特許文献１】米国特許第６５７９０１２号明細書
【発明の概要】
【発明が解決しようとする課題】
【０００６】
本発明の１つの目的は、１つ又は複数の特定の性能特性を示す一方で、依然として低コストであり、製造が比較的容易となり得る、軸受部品を提供することである。
【課題を解決するための手段】
【０００７】
本発明の第１の態様によれば、この目的は、転がり軸受用又は滑り軸受用の軸受部品であって、内輪、外輪、転動体、保持器若しくは保持具、又は案内輪の中のいずれかである軸受部品によって、達成される。この軸受部品は、第１の構成部品、及び第１の構成部品に結合された第２の構成部品を備える。第２の構成部品及び第１の構成部品は、半凝固金属プロセスによって結合されている。すなわち、第１の構成部品は、その平衡液相温度と平衡固相温度との間の温度まで加熱されて、第２の構成部品に直面した状態において固体の状態を呈することが可能となり、このようにして第２の構成部品と第１の構成部品との間の固定が達成される。第２の構成部品は、接触面を有しており、この接触面により、接触面と第２の軸受部品との間における相対運動が可能となる。
【０００８】
半凝固金属プロセス（ＳＳＭ：semi-solid metal process）は、金属合金を、その平衡液相温度と平衡固相温度との間の温度にて形成するためのプロセスを指す。ＳＳＭにより、キャスティング、鍛造、及び押出成形の原理及び利点が組み合わされる。さらに、ＳＳＭプロセスにより、低空隙率、高い亀裂抵抗、少ない欠陥、良好かつ一層均質な顕微鏡組織、向上した機械特性、等々を有する構成部品が、作製される。他の利点は、複雑な構成部品の形成の容易化、無駄の低減による材料の節減、及びコスト低下であり得る。さらに、ＳＳＭにより、特注製造製品への対応を容易にする様々な材料を組み合わせることが可能となる。
【０００９】
一の実施例においては、第１の構成部品は、平衡液相温度と平衡固相温度との間の温度まで加熱されるものである。
【００１０】
一の実施例においては、半凝固金属プロセスは、チクソモールディングプロセス、チクソキャスティングプロセス、チクソ鍛造プロセス、チクソ結合プロセス、レオモールディングプロセス、レオキャスティングプロセス、レオ鍛造プロセス、又はレオ結合プロセスである。
【００１１】
一の実施例では、第１の構成部品が軽量材料から作られているので、軸受部品の重量を低減することができる。一の実施例では、第１の構成部品が軽金属材料から作られているので、軸受部品の重量を低減することができる。一の実施例では、第１の構成部品がアルミニウム又はアルミニウム合金から作られているので、軸受部品の重量を低減することができる。一の実施例では、第１の構成部品がチタン又はチタン合金から作られているので、軸受部品の重量を低減することができる。
【００１２】
一の実施例では、第１の構成部品が衝撃吸収材料、弾性材料、又は緩衝材料から作られている。これにより軸受、又は軸受若しくは軸受部品に接続されているアプリケーション若しくは装置において、望ましくない振動又は騒音を低減することができる。
【００１３】
一の実施例では、第１の構成部品が、軸受部品の緩衝機能を有している鋳鉄から作られている。
【００１４】
一の実施例では、第１の構成部品が低炭素鋼から作られているので、軸受部品のコストを低減することができる。
【００１５】
一の実施例では、第１の構成部品が電気絶縁材料から作られている。幾つかの用途では、軸受又は軸受部品自体を電流又は電撃から保護することが求められている。幾つかの用途では、軸受若しくは軸受部品に接続されている他の構成部品又はデバイスを電流又は電撃から保護することが求められている。
【００１６】
一の実施例では、第１の構成部品は、断熱材料から作られている。幾つかの用途では、軸受又は軸受部品自体を冷熱から保護することが望まれている。幾つかの用途では、軸受若しくは軸受部品に接続されている他の構成部品又はデバイスを冷熱から保護することが求められている。
【００１７】
一の実施例では、第２の構成部品は、例えば軸受鋼又はステンレス鋼のような鋼から作られている。鋼を用いる利点は、良好な耐摩耗性、良好な転動特性又は滑動特性、高耐久性、良好な疲労特性、高速性、及び他の実現可能な高い性能特性にある。
【００１８】
一の実施例では、第２の構成部品は、軸受部品に高い耐摩耗性を付与する硬質金属から作られている。
【００１９】
一の実施例では、第２の構成部品は、軸受部品に高い耐摩耗性を付与する超硬合金から作られている。
【００２０】
一の実施例では、第２の構成部品は、軸受部品に高い耐摩耗性を付与する金属炭化物金属炭化物（carbide metal）から作られている。
【００２１】
一の実施例では、第２の構成部品は、軸受部品に高い耐摩耗性を付与するセラミック材料から作られている。他の利点は、電気絶縁性、断熱性、電気抵抗性、熱抵抗性、軽量性等である。
【００２２】
一の実施例では、第２の構成部品は、軸受部品に良好な滑動特性、低摩擦性、及び低コスト性を付与する青銅から作られている。
【００２３】
一の実施例では、第２の構成部品は、軸受部品に良好な滑動特性、低摩擦性、及び低コスト性を付与する真鍮から作られている。
【００２４】
一の実施例では、第２の構成部品は、電気絶縁材料から作られている。幾つかの用途では、軸受又は軸受部品自体を電流又は電撃から保護することが求められている。幾つかの用途では、軸受若しくは軸受部品に接続されている他の構成部品又はデバイスを電流又は電撃から保護することが求められている。
【００２５】
一の実施例では、第２の構成部品は、断熱材料から作られている。幾つかの用途では、軸受又は軸受部品自体を冷熱から保護することが求められている。幾つかの用途では、軸受若しくは軸受部品に接続されている他の構成部品又はデバイスを冷熱から保護することが求められている。
【００２６】
異なる第１の構成部品及び第２の構成部品を選択することによって、軸受部品又は軸受の異なる性質が実現可能とされる。例えば、第１の構成部品として軽量材料を使用し、且つ、第２の構成部品として軸受鋼を使用することによって、軸受部品又は軸受の重量が軽減されると共に、軸受部品又は軸受は、例えば耐荷重性能や長寿命のような良好な性能特性を依然として有していることが可能になる。
【００２７】
一の実施例では、第２の構成部品は、接触面と第２の軸受部品との間における相対運動を可能とする当該接触面を有している。
【００２８】
一の実施例では、軸受部品は輪体であり、第２の構成部品は接触面を有している。この接触面は、軌道、滑動面、内輪の案内フランジ又はこれらに類するものの少なくとも一部分を構成している場合がある。
【００２９】
一の実施例では、輪体は内輪又は外輪のうち一方である。
【００３０】
一の実施例においては、軸受部品は、例えばころのような転動体である。ころは、円筒ころ、たる形ころ、球面ころ、トロイダルころ、針状ころ、テーパころ、円錐ころ、又は任意の他の形状とされる場合がある。一の実施例では、第２の構成部品が、相対運動を介して他の軸受部品と接触状態になる転動体の領域を少なくとも覆っている接触面を有している。他の軸受部品は、軸受の内輪、軸受の外輪、軸受の内輪若しくは外輪の案内フランジ又はこれに類するもの、転動体、保持器、又は案内輪とされる場合がある。
【００３１】
本発明の第２の態様には、転がり軸受が開示されている。この転がり軸受は、内輪と外輪と複数の転動体とを少なくとも備え、本発明の第１の態様における軸受部品をさらに備えている。本発明の第１の態様におけるすべての特徴及び実施例が、本発明の第２の態様に適用可能であり、その逆も可能である。
【００３２】
当該態様における一の実施例では、接触面が軌道である。
【００３３】
一の実施例では、軸受部品を備えている転がり軸受が、転動体として玉を有している。
【００３４】
一の実施例では、軸受部品の第２の構成部品が、玉の直径の少なくとも５パーセントの厚さを有している。
【００３５】
一の実施例では、この軸受部品の第２の構成部品は、この玉の直径の少なくとも１０パーセント、１５パーセント、２０パーセント、２５パーセント、３０パーセント、３５パーセント、４０パーセント、４５パーセント、５０パーセント、５５パーセント、６０パーセント、７０パーセント、８０パーセント、９０パーセント、又は９５パーセントの厚さを有している。
【００３６】
一の実施例では、軸受部品を備えている転がり軸受は、転動体としてころを有している。
【００３７】
一の実施例では、第２の構成部品は、ころの直径の少なくとも５パーセントの厚さを有している。
【００３８】
一の実施例では、軸受部品の第２の構成部品は、ころの直径の少なくとも１０パーセント、１５パーセント、２０パーセント、２５パーセント、３０パーセント、３５パーセント、４０パーセント、４５パーセント、５０パーセント、５５パーセント、６０パーセント、７０パーセント、８０パーセント、９０パーセント、又は９５パーセントの厚さを有している。
【００３９】
一の実施例では、軸受部品を備えている転がり軸受は、玉軸受、円筒ころ軸受、球面ころ軸受、トロイダルころ軸受、テーパころ軸受、円錐ころ軸受、針状ころ軸受、スラスト軸受、車輪用軸受、車輪ハブ軸受、ピニオン軸受、又はフランジ付き軸受である。
【００４０】
本発明の第３の態様には、滑り軸受が開示されている。この滑り軸受は、本発明の第１の態様における軸受部品を備えている。本発明の第１の態様におけるすべての特徴及び実施例が、本発明の第３の態様におけるすべての特徴及び実施例に適用可能であり、その逆も可能である。第２の態様の特徴及び実施例は、当業者であれば第３の態様に適用可能であり、その逆も可能である。
【００４１】
この態様における一の実施例では、接触面は滑動面である。
【００４２】
一の実施例では、滑り軸受は軸受部品を備え、第２の構成部品は少なくとも１ミリメートルの厚さを有している。
【００４３】
一の実施例においては、この軸受部品の第２の構成部品は、少なくとも２ミリメートル、３ミリメートル、４ミリメートル、５ミリメートル、６ミリメートル、７ミリメートル、８ミリメートル、９ミリメートル、１０ミリメートル、１５ミリメートル、２０ミリメートル、３０ミリメートル、４０ミリメートル、５０ミリメートル、６０ミリメートル、７０ミリメートル、８０ミリメートル、９０ミリメートル、１００ミリメートル、１１０ミリメートル、１２０ミリメートル、１３０ミリメートル、１４０ミリメートル、１５０ミリメートル、１６０ミリメートル、１７０ミリメートル、１８０ミリメートル、１９０ミリメートル、又は２００ミリメートルの厚さを有している。
【図面の簡単な説明】
【００４４】
【図１ａ】本発明の一の実施例による内方軸受輪の断面図である。
【図１ｂ】本発明の一の実施例による内方軸受輪の一部分の断面図である。
【図２】本発明の一の実施例による内方軸受輪の一部の断面図である。
【図３】本発明の一の実施例によるフランジ付き外方軸受輪の断面図である。
【図４】本発明の一の実施例による車輪ハブ外輪の断面図である。
【図５】本発明の一の実施例による球面ころの断面図である。
【図６】本発明の一の実施例による玉軸受の断面図である。
【図７】本発明の一の実施例による円筒ころ軸受の断面図である。
【図８】本発明の一の実施例による車輪ハブの断面図である。
【図９】本発明の一の実施例による球面滑り軸受の断面図である。
【発明を実施するための形態】
【００４５】
図１ａは、本発明の一の実施例におけるベアリングの内輪の断面図である。内輪１は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。第２の構成部品３は、接触面４と第２の軸受部品（図示せず）との間における相対運動を可能とする接触面４を有している。接触面４は、少なくとも内輪の軌道５に対応している。一の実施例では、第２の軸受部品は、外輪、転動体、保持器、又は案内輪である場合がある。第２の構成部品３の接触面４は、軌道５の外側に延在しており、例えば内輪の案内フランジ又は外周部のような内輪１の他の部分を覆っている場合がある。
【００４６】
図１ｂは、本発明の一の実施例における軸受の内輪の一部分の断面図である。内輪１は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。
【００４７】
第２の構成部品３は、接触面４ａ、４ｂと第２の軸受部品（図示せず）との間における相対運動を可能とする接触面４ａ、４ｂを有している。接触面４ａは、少なくとも内輪の軌道５に対応している。一の実施例では、第２の軸受部品が、外輪、転動体、保持器、又は案内輪である場合がある。一の実施例では、内輪１が、内輪１の各アキシアル方向端部にフランジ６を有している。さらに、フランジ６が、アキシアル方向内側端部面６ａとラジアル方向外側端部面６ｂとを有している。第２の構成部品３は、案内フランジのアキシアル方向内側端部面６ａに実質的に対応していると共にさらに第２の接触面４ｂと第２の軸受部品（図示せず）との間における相対運動を可能とする第２の接触面４ｂを有している。また、第２の構成部品３は、フランジ６のラジアル方向外側端部面６ｂに対応する第３の接触面を有している場合がある。
【００４８】
図２は、本発明における軸受の内輪の一部分の断面図である。内輪１ａの前記一部分は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。
【００４９】
一の実施例では、第１の構成部品２は電気絶縁材料から作られ、第２の構成部品３は軸受鋼から作られている。軌道５の一部が、第２の構成部品３内且つ内輪１ａの外周部上に形成されている。軌道５は、接触面４と第２の軸受部品（図示せず）との間における相対運動を可能とする接触面４を有している。一の実施例では、第２の軸受部品は、外輪、転動体、保持器、又は案内輪である場合がある。
【００５０】
図３は、本発明の一の実施例におけるフランジ付き軸受の外輪の断面図である。外輪７が、例えば外輪７を機械要素、ハウジング、又はこれらに類するもの（図示せず）に固定するために使用可能なフランジ８を有している。外輪７は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。
【００５１】
第２の構成部品３は、接触面４と第２の軸受部品（図示せず）との間における相対運動を可能とする接触面４を有している。接触面４は、外輪７の内周部に形成されている軌道５に少なくとも対応している。一の実施例では、第２の軸受部品は、内輪、転動体、保持器、又は案内輪である場合がある。また、第２の構成部品３の接触面４は、軌道５の外側に延在しており、例えば外輪７の案内フランジや外周部のような外輪７の他の部分を覆っている場合がある。
【００５２】
図４は、本発明の一の実施例における車輪ハブの外輪の断面図である。外輪７は、例えば外輪７を車体側部の取付部に固定するために、又は車輪を取り付けるために使用可能なフランジ８を有している。外輪７は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。
【００５３】
第２の構成部品３は、接触面４と第２の軸受部品（図示せず）との間における相対運動を可能とする接触面４を有している。接触面４は、外輪７の内周部に形成されている軌道５に少なくとも対応している。一の実施例では、外輪７が２つの軌道を有しており、第２の軸受部品は、転動体、保持器、又は案内輪である場合がある。また、第２の構成部品３の接触面４は、軌道５の外側に延在しており、例えば外輪７の案内フランジ又は外周部のような外輪７の他の部分を覆っている場合がある。
【００５４】
図５は、本発明の一の実施例における球面ころの断面図である。球面ころ９は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。第２の構成部品３は、接触面４と第２の軸受部品（図示せず）との間における相対運動を可能とする接触面４を有している。一の実施例では、第２の軸受部品が、内輪、外輪、保持器、転動体、又は案内輪である場合がある。一の実施例では、球面ころ９のアキシアル方向端部面１０の少なくとも一部分が、第１の構成部品２の表面１１を有している。
【００５５】
図６は、本発明の一の実施例における転がり軸受の断面図である。転がり軸受１３は、外周部に軌道５が形成されている内輪１ａと、内周部に軌道５が形成されている外輪１ｂと、内輪１ａと外輪１ｂと間に配設されている複数の玉１２とを少なくとも備えている。また、転がり軸受が、例えば保持器、シール、センサ、エンコーダや潤滑剤等のような、さらなる軸受部品を備えている場合がある。
【００５６】
一の実施例では、転がり軸受１３は、本発明における２つの軸受部品１ａ，１ｂを有している。内輪１ａ及び外輪１ｂの両方が、第１の構成部品２及び第２の構成部品３を備えている。第２の構成部品３は、第１の構成部品２に結合されている。第２の構成部品３及び第１の構成部品２は、上述のように半凝固金属プロセスによって結合されている。第２の構成部品３は、内輪１ａ及び外輪１ｂに形成されている軌道５に実質的に対応していると共に接触面４と玉１２との間における相対運動を可能とする接触面４を有している。この相対運動は、例えば転動、滑動、又は両方の組合せとされる。
【００５７】
一の実施例では、第２の構成部品３の厚さは、玉１２の直径Ｄの少なくとも５パーセントであることが望ましい。
【００５８】
一の実施例における転がり軸受が本発明における２つの軸受部品を有していることを説明しているが、内輪及び外輪のうち一方の輪体のみが本発明における軸受部品である転がり軸受とすることもできる。さらに、本発明における軸受部品が、軸受輪の形態ではなく、保持器又は案内輪とされる場合がある。また、転がり軸受は、本発明における相違する軸受部品の組合せを備えている場合がある。
【００５９】
本発明が、図６に表わす深溝玉軸受に限定される訳ではなく、他の形式の転がり軸受にも適用可能であることに留意すべきである。非限定的な例としては、アンギュラ玉軸受、自動調心玉軸受、スラスト玉軸受や４点接触玉軸受が挙げられる。
【００６０】
図７は、本発明の一の実施例における円筒ころ軸受の断面図である。円筒ころ軸受１４は、外周部に軌道５が形成されている内輪１ａと、内周部に軌道５が形成されている外輪１ｂと、内輪１ａと外輪１ｂとの間に配設されている複数の円筒ころ１５とを少なくとも備えている。内輪１ａは、内輪１ａの各アキシアル方向端部にフランジ６を有している。各フランジ６は、円筒ころ１５の端部面１５ｂに面しているアキシアル方向内側面６ａと、外方ラジアル方向面６ｂとを有している。また、円筒ころ軸受は、例えば保持器、シール、センサ、エンコーダ、潤滑剤等のような、さらなる軸受部品を備えている場合がある。
【００６１】
一の実施例では、円筒ころ軸受１４は、本発明における２つの軸受部品１ａ，１ｂを有している。外輪１ｂは、第１の構成部品２及び第２の構成部品３を備えている。第２の構成部品３は、第１の構成部品２に結合されている。第２の構成部品３及び第１の構成部品２は、上述のように半凝固金属プロセスによって結合されている。第２の構成部品３は、外輪１ａ上に形成されている軌道５に実質的に対応していると共に接触面４ａと円筒ころ１５との間における相対運動を可能とする第１の接触面４ａを少なくとも有している。この相対運動は、例えば転動、滑動、又は両方の組合せとされる。
【００６２】
内輪１ａは、第１の構成部品２及び第２の構成部品３を備えている。第２の構成部品３は、第１の構成部品２に結合されている。第２の構成部品及び第１の構成部品２は、上述のように半凝固金属プロセスによって結合されている。
【００６３】
第２の構成部品３は、内輪１ａに形成されている軌道５に実質的に対応していると共に接触面４ａと円筒ころ１５との間における相対運動を可能とする第１の接触面４ａを少なくとも有している。この相対運動は、例えば転動、滑動、又は両方の組合せとされる。第２の構成部品は、案内フランジ６のアキシアル方向内側面６ａに実質的に対応している第２の接触面４ｂをさらに有している。当該第２の接触面４ｂによって、接触面４ｂと円筒ころ１５の端部面１５ｂとの間における相対運動が可能となる。当該実施例では、この相対運動は滑動である。
【００６４】
一の実施例では、第２の構成部品３の厚さは、円筒ころ１５の直径Ｄの少なくとも５パーセントであることが望ましい。
【００６５】
一の実施例におけるころ軸受が本発明における２つの軸受部品を有していることを説明しているが、内輪及び外輪のうち一方の輪体のみが本発明における軸受部品である円筒ころ軸受とすることもできる。さらに、本発明における軸受部品が、軸受輪の形態ではなく、保持器、案内輪、又はころとされる場合がある。また、転がり軸受は、本発明における相違する軸受部品の組合せを備えている場合がある。
【００６６】
本発明は、図７に表わす円筒ころ軸受に限定されず、他の形式のころ軸受にも適用可能であることに留意すべきである。これらの非限定的な例としては、球面ころ軸受、自動調心ころ軸受、テーパころ軸受、円錐ころ軸受、針状ころ軸受、トロイダルころ軸受、スラスト球面ころ軸受、スラスト円筒ころ軸受、スラストテーパころ軸受が挙げられる。
【００６７】
図８は、本発明の一の実施例における車輪ハブの断面図である。車輪ハブ１６は、内輪１と、外輪７と、内輪１と外輪７との間に挿置されている複数の転動体１２とを備えている。当該実施例では、転動体１２は玉であるが、テーパころ又は円筒ころとされる場合がある。車輪ハブは、例えば保持器、シール、センサ、エンコーダや潤滑剤等のような、さらなる軸受部品を備えている場合がある。
【００６８】
一の実施例では、車輪ハブ１６は、本発明における２つの軸受部品１，７を有している。内輪１は、当該実施例では、車輪を車輪ハブに嵌め込むように構成されているフランジ１７を有している。内輪１は、その外周部に第１の軌道５ｂと第２の軌道５ｃとをさらに有している。一の実施例では、第２の軌道５ｃは、車輪ハブの内輪１に圧入された別の内輪１８に形成されている。外輪７は、外輪７の外周部に形成されているフランジ８を有している。当該実施例では、フランジ８は、例えばナックルのような車体側部の取付部に車輪ハブを固定するように構成されている。外輪７は、内輪１の第１の軌道５ｂ及び第２の軌道５ｃに対向していると共に内周部に形成されている複列の軌道５ａを有している。
【００６９】
内輪１及び外輪７は、第１の構成部品２及び第２の構成部品３を備えている。第２の構成部品３は、第１の構成部品２に結合されている。第２の構成部品３及び第１の構成部品２は、上述のように半凝固金属プロセスによって結合されている。
【００７０】
第２の構成部品３は、内輪１及び外輪７の上に、接触面４ａ、４ｂ、４ｃと玉１２との間における相対運動を可能とする少なくとも３つの接触面４ａ、４ｂ、４ｃを有している。接触面４ａ、４ｂ、４ｃは、内輪１及び外輪７に形成されている軌道５ａ、５ｂ、５ｃに少なくとも対応している。この相対運動は、例えば転動、滑動、又は両方の組合せとされる。第２の構成部品３の接触面４ａ、４ｂ、４ｃは、軌道５ａ、５ｂ、５ｃの外側に延在しており、内輪１及び外輪７の他の部分を覆っている場合がある。
【００７１】
一の実施例では、第２の構成部品３の厚さは、玉１２の直径の少なくとも５パーセントであることが望ましい。
【００７２】
一の実施例における車輪ハブが本発明における２つの軸受部品を有していることを説明しているが、内輪及び外輪のうち一方の輪体のみが本発明における軸受部品である車輪ハブとすることもできる。さらに、本発明における軸受部品が、軸受輪の形態ではなく、保持器、案内輪、又はころとされる場合がある。また、車輪ハブは、本発明における相違する軸受部品の組合せを備えている場合がある。
【００７３】
本発明は、図８に表わす車輪ハブに限定される訳ではなく、他の車輪ハブの設計及び車輪用軸受の設計にも適用可能であることに留意すべきである。
【００７４】
図９は、本発明の一の実施例における球面滑り軸受の断面図である。球面滑り軸受１９は、外周部に軌道５ａが形成されている内輪１ａと、内周部に軌道５ｂが形成されている外輪１ｂとを少なくとも備えている。一の実施例では、球面滑り軸受１９は、本発明における２つの軸受部品１ａ及び１ｂを有している。内輪１ａ及び外輪１ｂは、第１の構成部品２及び第２の構成部品３を備えている。第２の構成部品３は、第１の構成部品２に結合されている。第２の構成部品３及び第１の構成部品２は、上述のように半凝固金属プロセスによって結合されている。
【００７５】
第２の構成部品３は、内輪１ａ及び外輪１ｂの上に、軌道５ａ及び５ｂに実質的に対応していると共に接触面４ａ、４ｂ間における相対運動を可能とする２つの接触面４ａ、４ｂを少なくとも有している。この実施例では、この相対運動は滑動である。
【００７６】
一の実施例では、第２の構成部品３の厚さは、少なくとも１ミリメートルであることが望ましい。
【００７７】
当該実施例における滑り軸受が本発明における２つの軸受部品を有していることを説明しているが、内輪及び外輪のうち一方の輪体のみが本発明における軸受部品である転がり軸受とすることもできる。
【００７８】
本発明は、図９に表わす滑り軸受に限定される訳ではなく、当業者が想到可能な他の形式の滑り軸受、平軸受（plain bearing）、又はスリーブ軸受にも適用可能であることに留意すべきである。
【符号の説明】
【００７９】
１  内輪
１ａ  内輪
１ｂ  外輪
２  第１の構成部品
３  第２の構成部品
４  接触面
４ａ  接触面
４ｂ  接触面
４ｃ  接触面
５  軌道
５ａ  複列の軌道
５ｂ  第１の軌道
５ｃ  第２の軌道
６  フランジ
６ａ  アキシアル方向内側端部面（アキシアル方向内側面）
６ｂ  ラジアル方向外側端部面（ラジアル方向外側面）
７  外輪
８  フランジ
９  球面ころ
１０  端部面
１１  表面
１２  玉（転動体）
１３  転がり軸受
１４  円筒ころ軸受
１５  円筒ころ
１５ｂ  端部面
１６  車輪ハブ
１７  フランジ
１８  内輪
１９  球面滑り軸受
Ｄ  直径
【図１ａ】
0005518699.tif 000002
【図１ｂ】
0005518699.tif 000003
【図２】
0005518699.tif 000004
【図３】
0005518699.tif 000005
【図４】
0005518699.tif 000006
【図５】
0005518699.tif 000007
【図６】
0005518699.tif 000008
【図７】
0005518699.tif 000009
【図８】
0005518699.tif 000010
【図９】
0005518699.tif 000011